(57)【要約】      （修正有）【課題】表面構成部材と前記裏面構成部材間への空気だまりを防止することができるブリスター容器及びブリスター容器の製造方法を提供する。【解決手段】プラスチックフィルムをプレスして膨出部２１が設けられた表面構成部材１２を形成した後、表面構成部材１２の表面側接合面３１に切り込みを入れて縦破線部４１と横破線部４２と連設破線部５１とスリット６１を形成して排気部を構成する。表面構成部材１２の膨出部２１に洗浄剤を収容し、表面構成部材１２の表面側接合面３１を加熱しながらプレスして当該表面構成部材１２を裏面構成部材１１に接合してブリスター容器２０１を形成する。【選択図】図４
2007161261.tif 000002
【特許請求の範囲】
【請求項１】
裏面構成部材に表面構成部材が接合されて形成されるブリスター容器において、
接合前の前記表面構成部材又は前記裏面構成部材の少なくとも一方の接合面に、両構成部材間に入り込んだ空気を逃がすための排気部を設けるとともに、前記表面構成部材と前記裏面構成部材とを接合して形成したことを特徴とするブリスター容器。
【請求項２】
前記接合面に開口部を開設して前記排気部を形成したことを特徴とする請求項１記載のブリスター容器。
【請求項３】
前記接合面に切り込みを入れて前記排気部を形成したことを特徴とする請求項１記載のブリスター容器。
【請求項４】
前記表面構成部材は、空気中で気体を発生する被収容物を収容する為の膨出部を備え、
前記排気部を前記膨出部へ向けて延在するスリットで構成したことを特徴とする請求項２又は３記載のブリスター容器。
【請求項５】
裏面構成部材に表面構成部材を接合して形成するブリスター容器の製造方法において、
接合前の前記表面構成部材又は前記裏面構成部材の少なくとも一方の接合面に、両構成部材間に入り込んだ空気を逃がすための排気部を形成する排気部形成工程と、
前記表面構成部材の接合面と前記裏面構成部材の接合面とを圧接して接合する接合工程と、
を備えたことを特徴とするブリスター容器の製造方法。
【請求項６】
前記排気部形成工程は、前記接合面に切り込みを入れて前記排気部を形成することを特徴とした請求項５記載のブリスター容器の製造方法。
【発明の詳細な説明】
【技術分野】
【０００１】
本発明は、薬剤等を収容するブリスター容器及びブリスター容器の製造方法に関する。
【背景技術】
【０００２】
従来、固形の薬剤は、図６に示すように、ブリスター容器８０１に収容されて販売されていた（例えば、特許文献１）。
【０００３】
このブリスター容器８０１は、裏面構成部材８１１と、該裏面構成部材８１１に貼着された表面構成部材８１２とによって構成されている。前記裏面構成部材８１１は、長方形状の板紙によって形成されており、前記表面構成部材８１２は、無色透明のプラスチックで形成されている。
【０００４】
この表面構成部材８１２には、表面側に膨出した膨出部８１３，・・・が複数形成されており、各膨出部８１３，・・・には、前記薬剤が収容されるように構成されている。これにより、前記薬剤は、前記膨出部８１３，・・・に収容された状態で、前記表面構成部材８１２と前記裏面構成部材８１１との間に保持されるように構成されている。
【０００５】
また、前記両構成部材８１１，８１２を接合して形成されたブリスター容器８０１には、縦横に延在する切取線８２１，・・・が形成されており、各切取線８２１，・・・は、前記表面構成部材８１２及び前記裏面構成部材８１１の両者を断続的に切断した破線で構成されている。この破線は、各膨出部８１３，・・・を包囲するように設けられており、各膨出部８１３，・・・に収容された薬剤を個別に切り離して使用できるように構成されている。
【特許文献１】意匠登録第１０２４３５４号公報
【発明の開示】
【発明が解決しようとする課題】
【０００６】
しかしながら、このようなブリスター容器にあっては、表面構成部材８１２を裏面構成部材８１１に熱圧着して接合する際に、前記表面構成部材８１２と前記裏面構成部材８１１との間に空気が入ることがある。また、この空気は、熱圧着時に加えられる熱によって膨張してしまう。
【０００７】
これにより、前記表面構成部材８１２と前記裏面構成部材８１１との間に空気だまりが出来てしまい、空気だまりができた個所は、前記表面構成部材８１２と前記裏面構成部材８１１とが接合されないか、接合されても接合が弱くなり、前記裏面構成部材８１１から前記表面構成部材８１２が剥がれ易くなる恐れがあった。
【０００８】
本発明は、このような従来の課題に鑑みてなされたものであり、表面構成部材と前記裏面構成部材間への空気だまりを防止することができるブリスター容器及びブリスター容器の製造方法を提供することを目的とするものである。
【課題を解決するための手段】
【０００９】
前記課題を解決するために本発明の請求項１のブリスター容器にあっては、裏面構成部材に表面構成部材が接合されて形成されるブリスター容器において、接合前の前記表面構成部材又は前記裏面構成部材の少なくとも一方の接合面に、両構成部材間に入り込んだ空気を逃がすための排気部を設けるとともに、前記表面構成部材と前記裏面構成部材とを接合して形成した。
【００１０】
すなわち、接合前の表面構成部材又は裏面構成部材の少なくとも一方の接合面には、排気部が設けられており、前記表面構成部材と前記裏面構成部材とが接合される際に、両部材間に入り込んだ空気は、前記排気部より外部に排気される。
【００１１】
また、請求項２のブリスター容器においては、前記接合面に開口部を開設して前記排気部を形成した。
【００１２】
すなわち、前記接合面には、開口部が開設されており、前記表面構成部材と前記裏面構成部材との間に入り込んだ空気は、前記開口部が構成する排気部を介して外部に排気される。
【００１３】
さらに、請求項３のブリスター容器では、前記接合面に切り込みを入れて前記排気部を形成した。
【００１４】
すなわち、前記接合面には、切り込みが入れられており、前記表面構成部材と前記裏面構成部材との間に入り込んだ空気は、この切り込みが構成する排気部を介して外部に排気される。
【００１５】
加えて、請求項４のブリスター容器にあっては、前記表面構成部材は、空気中で気体を発生する被収容物を収容する為の膨出部を備え、前記排気部を前記膨出部へ向けて延在するスリットで構成した。
【００１６】
すなわち、前記表面構成部材には膨出部が形成されており、該膨出部には、被収容物が収容される。
【００１７】
そして、前記排気部は、前記膨出部へ向けて延在する開口部又は切り込みで形成されたスリットで構成されている。このため、例えば、膨出部内の空気に含まれる少量の湿気等により反応してガスを発生するような被収容物を前記膨出部に収容した際に、該被収容物が発生するガスで前記膨出部の内圧が高まり、前記表面構成部材が前記裏面構成部材から剥離し始めた場合であっても、その剥離が前記排気部に達した時点で、前記ガスを前記排気部から排出することができる。これにより、剥離の広がりが押さえられる。
【００１８】
このとき、前記膨出部は、前記ガスによって内圧が高められている。このため、前記排気部を切り込みで形成した場合には、外部からの空気の浸入を防止することもできる。
【００１９】
また、本発明の請求項５のブリスター容器の製造方法にあっては、裏面構成部材に表面構成部材を接合して形成するブリスター容器の製造方法において、接合前の前記表面構成部材又は前記裏面構成部材の少なくとも一方の接合面に、両構成部材間に入り込んだ空気を逃がすための排気部を形成する排気部形成工程と、前記表面構成部材の接合面と前記裏面構成部材の接合面とを圧接して接合する接合工程と、を備えている。
【００２０】
すなわち、ブリスター容器を製造する際には、排気部形成工程において、接合前の前記表面構成部材又は前記裏面構成部材の少なくとも一方の接合面に、両構成部材間に入り込んだ空気を逃がすための排気部を形成する。そして、接合工程において、前記表面構成部材の接合面と前記裏面構成部材の接合面とを圧接して接合しブリスター容器を形成する。
【００２１】
このとき、接合前の表面構成部材又は裏面構成部材の少なくとも一方の接合面には、排気部が設けられており、前記表面構成部材と前記裏面構成部材とを接合する際に、両部材間に空気が入り込んだ際には、この空気を前記排気部より外部に排気することができる。
【００２２】
さらに、請求項６のブリスター容器の製造方法においては、前記排気部形成工程は、前記接合面に切り込みを入れて前記排気部を形成する。
【００２３】
すなわち、前記排気部形成工程では、前記接合面に切り込みを入れて前記排気部を形成する。このとき、前記接合面に開口部を形成する場合には、開口部を開設する為に切断された切断片が発生し、この切断片を取り除く為の工程が必要となるとともに、この切断片を破棄しなければならない。
【００２４】
しかしながら、前記排気部を切り込みで構成することで、前記切断片の除去工程や破棄作業が不要となる。
【発明の効果】
【００２５】
以上説明したように本発明の請求項１のブリスター容器にあっては、接合前の表面構成部材又は裏面構成部材の少なくとも一方の接合面に排気部を設けることによって、前記表面構成部材と前記裏面構成部材とを接合する際に、両部材間に入り込んだ空気を、前記排気部より外部に排気することができる。
【００２６】
これにより、前記表面構成部材と前記裏面構成部材との間に空気だまりが発生し、該裏面構成部材から前記表面構成部材が剥がれ易くなる従来と比較して、表面構成部材が剥離するといった不具合の発生を未然に回避することができる。
【００２７】
また、前記表面構成部材と前記裏面構成部材との間に空気だまりが形成される従来と比較して、外観品質を高めることもできる。
【００２８】
また、請求項２のブリスター容器においては、前記接合面に開口部を開設することで、前記表面構成部材と前記裏面構成部材との間に入り込んだ空気を、前記開口部が構成する排気部を介して外部に排気することができる。
【００２９】
さらに、請求項３のブリスター容器では、前記接合面に切り込みを入れることによって、前記表面構成部材と前記裏面構成部材との間に入り込んだ空気を、この切り込みが構成する排気部を介して外部に排気することができる。
【００３０】
そして、前記排気部は、前記接合面に設けられた切り込みで構成されている。このため、前記接合面に開口部を開設する場合と比較して、切断片を発生させること無く、前記排気部を形成することができる。
【００３１】
加えて、請求項４のブリスター容器にあっては、前記表面構成部材に形成された膨出部に被収容物が収容される。
【００３２】
そして、前記排気部は、前記膨出部へ向けて延在する開口部又は切り込みで形成されたスリットで構成されている。このため、例えば、膨出部内の空気に含まれる少量の湿気等により反応してガスを発生するような被収容物を前記膨出部に収容した際に、該被収容物が発生するガスで前記膨出部の内圧が高まり、前記表面構成部材が前記裏面構成部材から剥離し始めた場合であっても、その剥離が前記排気部に達した時点で、前記ガスを前記排気部から排出することができる。
【００３３】
これにより、剥離の広がりを前記排気部で停止することができ、前記表面構成部材が前記裏面構成部材から剥離して前記膨出部が口開くといった不具合を確実に防止することができる。
【００３４】
このとき、前記膨出部は、前記ガスによって内圧が高められている。このため、前記排気部を切り込みで形成した場合には、外部からの空気の浸入を防止することもできる。
【００３５】
また、本発明の請求項５のブリスター容器の製造方法にあっては、排気部形成工程にて接合面に排気部を形成しておいた表面構成部材と裏面構成部材を接合する際に、両部材間に空気が入り込んだ場合であっても、この空気を前記排気部より外部に排気することができる。
【００３６】
したがって、製造されたブリスター容器の表面構成部材と裏面構成部材との間に空気だまりが発生し、該裏面構成部材から前記表面構成部材が剥がれ易くなる従来と比較して、表面構成部材が剥離するといった不具合の発生を未然に回避することができる。
【００３７】
また、前記表面構成部材と前記裏面構成部材との間に空気だまりが形成される従来と比較して、製造されたブリスター容器の外観品質を高めることもできる。
【００３８】
さらに、請求項６のブリスター容器の製造方法においては、排気部形成工程にて前記接合面に切り込みを入れて排気部を形成する。このとき、前記接合面に開口部を形成する場合には、開口部を開設する為に切断された切断片が発生し、この切断片を取り除く為の工程が必要となるとともに、切断片を破棄しなければならない。
【００３９】
しかしながら、前記排気部を切り込みで構成することで、前記切断片の除去工程や破棄作業が不要となる。これにより、製造コストを抑えることができる。
【発明を実施するための最良の形態】
【００４０】
（第１の実施の形態）
【００４１】
以下、本発明の第１の実施の形態を図に従って説明する。図１は、本実施の形態にかかるブリスター容器１を示す図である。このブリスター容器１には、図２にも示すように、例えば、過炭酸ナトリウムを含有し、台所等の排水管内に投入し、排水管内の水と反応して発泡する固形の被収容物である洗浄剤２が収容されており、当該ブリスター容器１を店頭に陳列して販売されるように構成されている。
【００４２】
すなわち、前記ブリスター容器１は、裏面側を構成する裏面構成部材１１と、該裏面構成部材１１に貼着された表面側を構成する表面構成部材１２とによって構成されている。前記裏面構成部材１１は、長方形状の板紙で構成されており、その表面には、印刷が施されている。前記表面構成部材１２は、無色透明のプラスチックで形成されており、当該表面構成部材１２は、金型で形成されている。
【００４３】
この表面構成部材１２には、表面側に膨出する円形の膨出部２１，・・・が形成されており、図１に示したように、等間隔をおいて縦列された膨出部２１，・・・が三列並設されている。縦列する各膨出部２１，・・・の数は、左方へ移るに従って多くなるように構成されており、その上部は、左の列へ移るに従って高くなるように構成されてる。各膨出部２１，・・・には、図２に示したように、円筒状に形成された前記洗浄剤２，・・・が収容されており、各洗浄剤２，・・・は、前記表面構成部材１２を介して外部から見えるように構成されている。
【００４４】
前記表面構成部材１２は、前記膨出部２１，・・・の周囲部の裏面が前記裏面構成部材１１に接合される表面側接合面３１を構成しており、該表面側接合面３１に面接する前記裏面構成部材１１の表面の部位は、前記表面側接合面３１と接合される裏面側接合面３２を構成している。前記裏面構成部材１１の前記裏面側接合面３２には、加熱時に溶解する接着剤が塗布されており、前記表面構成部材１２の前記表面側接合面３１と、前記裏面構成部材１１の前記裏面側接合面３２とは、熱接着により固定されている。これにより、前記膨出部２１，・・・に収容された前記洗浄剤２，・・・は、前記表面構成部材１２と前記裏面構成部材１１との間に保持されている。
【００４５】
前記表面構成部材１２には、図１に示したように、縦方向に延在する縦破線部４１，４１が縦列された左右の膨出部２１，・・・の間に設けられているとともに、横方向に延在する横破線部４２，・・・が横方向に配列された上下の膨出部２１，・・・の間に設けられている。これにより、前記各膨出部２１，・・・は、前記縦破線部４１，４１と前記横破線部４２，・・・とで包囲された矩形状の包囲領域４３，・・・内に設けられている。
【００４６】
前記各破線部４１，４２，・・・は、前記表面構成部材１２の前記表面側接合面３１に断続的に形成された切り込みによって構成されており、当該表面構成部材１２と前記裏面構成部材１１とを接合する際に、両部材１１，１２に入り込んだ空気を逃がすための排気部を構成している。これにより、切断し難いプラスチック製の前記表面構成部材１２は、切断し易い板紙からなる前記裏面構成部材１１と共に前記各破線部４１，４２，・・・に沿って切断できるように構成されており、各破線部４１，４２，・・・による前記包囲領域４３，・・・に設けられた前記膨出部２１，・・・内の洗浄剤２，・・・を個別に切り離して使用できるように構成されている。
【００４７】
また、前記縦破線部４１，４１と前記横破線部４２，・・・とが交差す交差部には、円形の開口部２１１，・・・が設けられており、前記両部材１１，１２間に入り込んだ空気を逃がすための排気部が構成されている。
【００４８】
以上の構成にかかる本実施の形態において、前記ブリスター容器１を製造する際には、先ず、プラスチックフィルムをプレスして前記膨出部２１，・・・が設けられた前記表面構成部材１２を形成した後、該表面構成部材１２の前記表面側接合面３１に切り込みを入れ、前記縦破線部４１，４１と前記横破線部４２，・・・とを形成すると同時に、前記表面構成部材１２の前記表面側接合面３１に円形の開口部２１１を打ち抜いて排気部を構成する。
【００４９】
そして、この表面構成部材１２の各膨出部２１，・・・に前記洗浄剤２を収容するとともに、当該表面構成部材１２の裏面側に前記裏面構成部材１１を合わせる。この状態において、前記裏面構成部材１１の前記裏面側接合面３２を加熱しながらプレスして、該表面側接合面３１が面接する前記裏面側接合面３２の接着剤を溶かし、前記表面構成部材１２を前記裏面構成部材１１に接合してブリスター容器１を形成する。
【００５０】
このとき、接合前の表面構成部材１２の表面側接合面３１には、排気部を構成する前記縦破線部４１，４１と前記横破線部４２，・・・と前記開口部２１１，・・・とが形成されており、前記表面構成部材１２を前記裏面構成部材１１に接合する際に、両部材１１，１２間に空気が入り込んだ場合には、この空気を前記排気部を構成する前記縦破線部４１，４１と前記横破線部４２，・・・と前記開口部２１１，・・・とから外部に排気することができる。
【００５１】
このため、前記表面構成部材１２と前記裏面構成部材１１との間に空気だまりが発生し、該裏面構成部材１１から前記表面構成部材１２が剥がれ易くなる従来と比較して、前記表面構成部材１２が剥離するといった不具合の発生を未然に回避することができる。
【００５２】
また、前記表面構成部材１２と前記裏面構成部材１１との間に空気だまりが形成される従来と比較して、外観品質を高めることもできる。
【００５３】
（第２の実施の形態）
【００５４】
図３は、本発明の第２の実施の形態を示す図であり、第１の実施の形態と同じ又は同等部分については、同符号を付して説明を割愛するとともに、異なる部分に付いてのみ説明する。
【００５５】
すなわち、このブリスター容器１０１を構成する表面構成部材１２では、縦破線部４１，４１と横破線部４２，・・・とが交差する交差部分に設けられた開口部２１１，・・・が廃止されている。
【００５６】
一方、前記縦破線部４１，４１と前記横破線部４２，・・・とが交差する角部においては、角部を構成する前記縦破線部４１と横破線部４２とを斜めに連設する連設破線部５１，・・・が設けられており、前記表面側接合面３１に形成された前記連設破線部５１，・・・も、前記両部材１１，１２に入り込んだ空気を逃がすための排気部を構成している。これにより、前記各破線部４１，４２，・・・に沿って前記包囲領域４３，・・・内部を切り離した際に、その角部が丸められるように構成されている。
【００５７】
以上の構成にかかる本実施の形態において、前記ブリスター容器１０１を製造する際には、先ず、プラスチックフィルムをプレスして前記膨出部２１，・・・が設けられた前記表面構成部材１２を形成した後、該表面構成部材１２の前記表面側接合面３１に切り込みを入れ、前記縦破線部４１，４１と前記横破線部４２，・・・と前記連設破線部５１，・・・とを形成して排気部を構成する。
【００５８】
このとき、前記表面側接合面３１に、第１の実施の形態のように開口部２１１，・・・を形成して排気部を構成する場合には、開口部２１１，・・・を開設する為に切断された切断片が発生し、この切断片を取り除く為の工程が必要となるとともに、この切断片を破棄しなければならない。しかしながら、前記排気部を総て切り込みで構成することで、前記切断片の除去工程や破棄作業が不要となる。これにより、製造コストを抑えることができる。
【００５９】
そして、この表面構成部材１２の各膨出部２１，・・・に前記洗浄剤２を収容するとともに、当該表面構成部材１２の裏面側に前記裏面構成部材１１を合わせる。この状態において、前記裏面構成部材１１の前記裏面側接合面３２を加熱しながらプレスして、該表面側接合面３１が面接する前記裏面側接合面３２の接着剤を溶かし、前記表面構成部材１２を前記裏面構成部材１１に接合してブリスター容器１を形成する。
【００６０】
このとき、接合前の表面構成部材１２の表面側接合面３１には、排気部を構成する前記縦破線部４１，４１と前記横破線部４２，・・・と前記連設破線部５１，・・・とが形成されており、前記表面構成部材１２を前記裏面構成部材１１に接合する際に、両部材１１，１２間に空気が入り込んだ場合には、この空気を前記排気部を構成する前記縦破線部４１，４１と前記横破線部４２，・・・と前記連設破線部５１，・・・とから外部に排気することができる。
【００６１】
このため、前記表面構成部材１２と前記裏面構成部材１１との間に空気だまりが発生し、該裏面構成部材１１から前記表面構成部材１２が剥がれ易くなる従来と比較して、前記表面構成部材１２が剥離するといった不具合の発生を未然に回避することができる。
【００６２】
また、前記表面構成部材１２と前記裏面構成部材１１との間に空気だまりが形成される従来と比較して、外観品質を高めることもできる。
【００６３】
（第３の実施の形態）
【００６４】
以下、本発明の第３の実施の形態を図に従って説明する。図４は、本実施の形態にかかるブリスター容器２０１を示す図である。このブリスター容器２０１は、図５にも示すように、例えば、過炭酸ナトリウムを含有し、台所等の排水管内に投入し、排水管内の水と反応して発泡する固形の被収容物である洗浄剤２が収容されており、当該ブリスター容器１を店頭に陳列して販売されるように構成されている。
【００６５】
すなわち、前記ブリスター容器２０１は、裏面側を構成する裏面構成部材１１と、該裏面構成部材１１に貼着された表面側を構成する表面構成部材１２とによって構成されている。前記裏面構成部材１１は、長方形状の板紙で構成されており、その表面には、印刷が施されている。前記表面構成部材１２は、無色透明のプラスチックで形成されており、当該表面構成部材１２は、金型で形成されている。
【００６６】
この表面構成部材１２には、表面側に膨出する円形の膨出部２１，・・・が形成されており、図４に示したように、等間隔をおいて縦列された膨出部２１，・・・が三列並設されている。縦列する各膨出部２１，・・・の数は、左方へ移るに従って多くなるように構成されており、その上部は、左の列へ移るに従って高くなるように構成されてる。各膨出部２１，・・・には、図５に示したように、円筒状に形成された前記洗浄剤２，・・・が収容されており、各洗浄剤２，・・・は、前記表面構成部材１２を介して外部から見えるように構成されている。
【００６７】
前記表面構成部材１２は、前記膨出部２１，・・・の周囲部の裏面が前記裏面構成部材１１に接合される表面側接合面３１を構成しており、該表面側接合面３１に面接する前記裏面構成部材１１の表面の部位は、前記表面側接合面３１と接合される裏面側接合面３２を構成している。前記裏面構成部材１１の前記裏面側接合面３２には接着剤が塗布されており、前記表面構成部材１２の前記表面側接合面３１と、前記裏面構成部材１１の前記裏面側接合面３２とは、熱接着により固定されており、前記膨出部２１，・・・に収容された前記洗浄剤２，・・・は、前記表面構成部材１２と前記裏面構成部材１１との間に保持されている。
【００６８】
前記表面構成部材１２には、図４に示したように、縦方向に延在する縦破線部４１，４１が縦列された左右の膨出部２１，・・・の間に設けられているとともに、横方向に延在する横破線部４２，・・・が横方向に配列された上下の膨出部２１，・・・の間に設けられている。これにより、前記各膨出部２１，・・・は、前記縦破線部４１，４１と前記横破線部４２，・・・とで包囲された矩形状の包囲領域４３，・・・内に設けられている。
【００６９】
前記各破線部４１，４２，・・・は、前記表面構成部材１２の前記表面側接合面３１に断続的に形成された切り込みによって構成されており、当該表面構成部材１２と前記裏面構成部材１１とを接合する際に、両部材１１，１２に入り込んだ空気を逃がすための排気部を構成している。これにより、切断し難いプラスチック製の前記表面構成部材１２は、切断し易い板紙からなる前記裏面構成部材１１と共に前記各破線部４１，４２，・・・に沿って切断できるように構成されており、各破線部４１，４２，・・・による前記包囲領域４３，・・・に設けられた前記膨出部２１，・・・内の洗浄剤２，・・・を個別に切り離して使用できるように構成されている。
【００７０】
また、前記縦破線部４１，４１と前記横破線部４２，・・・とが交差する角部では、角部を構成する前記縦破線部４１と横破線部４２とを斜めに連設する連設破線部５１，・・・が設けられており、前記表面側接合面３１に形成された前記連設破線部５１，・・・も、前記両部材１１，１２に入り込んだ空気を逃がすための排気部を構成している。これにより、前記各破線部４１，４２，・・・に沿って前記包囲領域４３，・・・内部を切り離した際に、その角部が丸められるように構成されている。
【００７１】
そして、各角部の内側には、前記各包囲領域４３，・・・の中心部に設けられた前記膨出部２１へ向けて延在するスリット６１，・・・が四隅に形成されている。これらのスリット６１，・・・も、前記表面側接合面３１に形成された切り込みで構成されており、前記両部材１１，１２に入り込んだ空気を逃がすための排気部を構成している。
【００７２】
以上の構成にかかる本実施の形態において、前記ブリスター容器１を製造する際には、先ず、プラスチックフィルムをプレスして前記膨出部２１，・・・が設けられた前記表面構成部材１２を形成した後、該表面構成部材１２の前記表面側接合面３１に切り込みを入れ、前記縦破線部４１，４１と前記横破線部４２，・・・と前記連設破線部５１，・・・と前記スリット６１，・・・とを形成して排気部を構成する。
【００７３】
このとき、第１の実施の形態のように前記表面側接合面３１に開口部２１１，・・・を形成して排気部を構成する場合には、開口部２１１，・・・を開設する為に切断された切断片が発生し、この切断片を取り除く為の工程が必要となるとともに、この切断片を破棄しなければならない。しかしながら、前記排気部を切り込みで構成することで、前記切断片の除去工程や破棄作業が不要となる。これにより、製造コストを抑えることができる。
【００７４】
そして、この表面構成部材１２の各膨出部２１，・・・に前記洗浄剤２を収容するとともに、当該表面構成部材１２の裏面側に前記裏面構成部材１１を合わせる。この状態において、前記裏面構成部材１１の前記裏面側接合面３２を加熱しながらプレスして、該表面側接合面３１が面接する前記裏面側接合面３２の接着剤を溶かし、前記表面構成部材１２を前記裏面構成部材１１に接合してブリスター容器１を形成する。
【００７５】
このとき、接合前の表面構成部材１２の表面側接合面３１には、排気部を構成する前記縦破線部４１，４１と前記横破線部４２，・・・と前記連設破線部５１，・・・と前記スリット６１，・・・とが形成されており、前記表面構成部材１２を前記裏面構成部材１１に接合する際に、両部材１１，１２間に空気が入り込んだ場合には、この空気を前記排気部を構成する前記縦破線部４１，４１と前記横破線部４２，・・・と前記連設破線部５１，・・・と前記スリット６１，・・・とから外部に排気することができる。
【００７６】
このため、前記表面構成部材１２と前記裏面構成部材１１との間に空気だまりが発生し、該裏面構成部材１１から前記表面構成部材１２が剥がれ易くなる従来と比較して、前記表面構成部材１２が剥離するといった不具合の発生を未然に回避することができる。
【００７７】
また、前記表面構成部材１２と前記裏面構成部材１１との間に空気だまりが形成される従来と比較して、外観品質を高めることもできる。
【００７８】
そして、前記排気部の一部は、前記膨出部２１，・・・へ向けて延在する切り込みで形成されたスリット６１，・・・で構成されている。このため、湿気と反応してガスを発生する前記洗浄剤２を前記膨出部２１，・・・に収容した本実施の形態にあっては、前記洗浄剤２が発生したガスで前記膨出部２１の内圧が高まり、前記表面構成部材１２が前記裏面構成部材１１から剥離し始めた場合であっても、その剥離が前記スリット６１，・・・の先端に達した時点で、前記ガスを当該スリット６１から排出することができる。
【００７９】
これにより、前記剥離の広がりを前記スリット６１で停止することができ、前記表面構成部材１２が前記裏面構成部材１１から剥離して前記膨出部２１が口開くといった不具合を確実に防止することができる。
【００８０】
このとき、前記膨出部２１は、前記ガスによって内圧が高められている。このため、前記切り込みで形成された前記スリット６１からの空気の浸入を防止することもできる。
【００８１】
なお、前述した各実施の形態では、表面構成部材１２の表面側接合面３１に前記縦破線部４１，４１や前記横破線部４２，・・・や前記連設破線部５１，・・・や前記スリット６１，・・・や前記開口部２１１，・・・を形成して排気部を構成する場合を例に挙げて説明したが、これに限定されるものでは無く、前記裏面構成部材１１の裏面側接合面３２に、例えば前記縦破線部４１，４１や前記横破線部４２，・・・や前記連設破線部５１，・・・や前記スリット６１，・・・や前記開口部２１１，・・・を形成して排気部を構成しても良い。
【００８２】
また、各実施の形態では、膨出部内に収容される被収容物について過炭酸ナトリウムを含有し、台所等の排水管内に投入し、排水管内の水と反応して発泡する固形の被収容物である洗浄剤について説明したが、これに限られるものではない。
【００８３】
例えば、防虫剤として利用し得るパラジクロロベンゼン、ナフタリン、樟脳、アダマンタン、トリシクロドデカン、トリオキサンや、防黴剤として利用できる、α−シンナミックアルデヒド、１，１−ジクロロ−Ｎ−（ジメチルアミノ）スルホニル−１−フルオロ−Ｎ−（４−メチルフェニル）メタンスルフェンアミド、Ｎ−（フルオロジクロロメチルチオ）−フタルイミド、Ｎ−ジクロロフルオロメチルチオ−Ｎ’，Ｎ’−ジメチル−Ｎ−フェニルスルファミド、３−ヨード−２−プロピニルブチルカーバメート、オルトフェニルフェノール、パラクロロメタキシレノール、３−メチル−４−イソプロピルフェノール、イソチオシアン酸アリル等の常温常圧で気化する昇華性薬剤を主剤とした薬剤や、過炭酸ナトリウム、過ホウ酸ナトリウム、炭酸アンモニウム、炭酸リチウム、炭酸ナトリウム、炭酸カリウム、炭酸水素ナトリウム、炭酸水素カリウム、炭酸水素マグネシウム等の発泡剤を含有する洗浄剤等を収容する場合も同様の効果を生じる。
【図面の簡単な説明】
【００８４】
【図１】本発明の第１の実施の形態を示す正面図である。
【図２】同実施の形態の側面図である。
【図３】本発明の第２の実施の形態を示す正面図である。
【図４】本発明の第３の実施の形態を示す正面図である。
【図５】同実施の形態の側面図である。
【図６】従来のブリスター容器を示す図で、（ａ）はその正面図であり、（ｂ）はその側面図である。
【符号の説明】
【００８５】
１    ブリスター容器
２    洗浄剤
１１    裏面構成部材
１２    表面構成部材
２１    膨出部
３１    表面側接合面
３２    裏面側接合面
４１    縦破線部
４２    横破線部
１０１    ブリスター容器
２０１    ブリスター容器
２１１    開口部
【図１】
2007161261.tif 000003
【図２】
2007161261.tif 000004
【図３】
2007161261.tif 000005
【図４】
2007161261.tif 000006
【図５】
2007161261.tif 000007
【図６】
2007161261.tif 000008